(57)【要約】      （修正有）【課題】野球、ゴルフなどの素振り練習において、強い押し込み、強いフォロースルーを体得するためのフォームを確立する練習具を提供する。【解決手段】練習具１は、１本のシャフト６の先端に係着させた略円筒状の被打撃部材２と、シャフトの基端に冠着させた両手で握ることができる長さの略円筒状の把持部７と、被打撃部材と把持部の間にはシャフトの軸方向を移動可能な略円筒状の３つの打撃部材を有する。３つの打撃部材は、インパクトの位置で被打撃部材に第１打撃部材３が衝突し、次いで第１打撃部材に第２打撃部材４が衝突し、最後に第２打撃部材に第３打撃部材５がそれぞれ順番に衝突し、被打撃部材と３つの打撃部材が衝突した際の衝突音は時間差で発生する。【選択図】図１
2020011014.tif 000002
【特許請求の範囲】
【請求項１】
１本のシャフトの先端に係着させた略円筒状の被打撃部材と、前記シャフトの基端に冠着させた両手で握ることができる長さの略円筒状の把持部と、前記被打撃部材と前記把持部の間には前記シャフトの軸方向を移動可能な略円筒状の３つの打撃部材を有する練習具であり、
前記３つの打撃部材は、前記把持部から直線で最長距離に位置する打撃部材を第１打撃部材、また前記把持部から直線で中間の距離に位置する打撃部材を第２打撃部材、前記把持部から直線で最短距離に位置する打撃部材を第３打撃部材といい、前記３つの打撃部材は前記シャフトの軸方向に嵌合され、前記練習具を手に持ち構えたときは前記３つの打撃部材は、前記把持部の上側の前記シャフトの軸方向に縦列するように位置し、前記把持部を握り素振り練習を行うことで前記３つの打撃部材が遠心力と慣性により前記シャフトの軸方向に沿って先端側に移動し、インパクトの位置で前記被打撃部材に前記第１の打撃部材が衝突し、次いで前記第１打撃部材に前記第２打撃部材が衝突し、最後に前記第２打撃部材に前記第３打撃部材がそれぞれ順番に衝突し、前記被打撃部材と前記３つの打撃部材が衝突した際の衝突音は時間差で発生することを特徴とする飛距離を伸ばす練習具。
【請求項２】
前記３つの打撃部材の重量、長さ、形状はそれぞれに異なることを特徴とする請求項１に記載の飛距離を伸ばす練習具。
【請求項３】
前記第１打撃部材は、３つの打撃部材のうちで最も重量が軽いことを特徴とする請求項１ならびに請求項２に記載の飛距離を伸ばす練習具。
【請求項４】
前記第３打撃部材は、３つの打撃部材のうちで最も重量が重いことを特徴とする請求項１乃至請求項３に記載の飛距離を伸ばす練習具。
【請求項５】
前記把持部上側に対向する前記略円筒状の前記第３打撃部材の軸方向前記把持部側となる下部は、前記第１打撃部材並びに前記第２打撃部材それぞれ２つの打撃部材の前記把持部側となる下部より直径が小さくなることを特徴とする請求項１乃至請求項４に記載の飛距離を伸ばす練習具。
【請求項６】
前記３つの打撃部材は素振り練習のインパクトにおいてそれぞれが衝突した際に、前記３つの打撃部材と打撃部材の間にそれぞれ隙間ができるように前記打撃部材の小口の周縁部を高低２段に形成し、前記小口の内周側の段を高く形成することを特徴とする請求項１乃至請求項５に記載の飛距離を伸ばす練習具。
【発明の詳細な説明】
【技術分野】
【０００１】  本発明は、野球、ゴルフなどの素振り練習をする際に、インパクトからの押し込みやフォロースルーを強くするトレーニングができる練習具に関するものである。
【背景技術】
【０００２】  従来、インパクトで音がする素振り練習器で素振り練習をしていた（例えば特許文献１並びに特許文献２）。
【先行技術文献】
【特許文献】
【０００３】
【特許文献１】特開平８−２４３８６号広報
【特許文献２】特開平８−３３７４４号公報
【発明の概要】
【発明が解決しようとする課題】
【０００４】  特許文献１に記載の器具は、素振りをした際にインパクトで音が鳴り、振動、衝撃など実際に打撃した時のような感触を味わうことができた。また、特許文献２に記載の器具は、スイングの軌道とヘッドスピードの速さを確認できる素振り調整機だった。
特許文献１に関しては、インパクトに力を集中することでインパクトの瞬間に肩や腕に力が入り大きなフォロースルーが実現できなかった。また、特許文献２に関しては、ボールの衝突音が１回鳴るか２回鳴るかで、スイング軌道の正確性とヘッドスピードの速度を調整するものだった。【０００５】  本発明は、前述した特許文献の器具を改良し、野球、ゴルフなどにおいて、構えた時からフォロースルーまで肩から力を抜いた軽い握りで一定にスイングができるようにすることで、ヘッドがブレない強い押し込み、強いフォロースルーを会得できる練習具を提供することを目的とする。
【課題を解決するための手段】
【０００６】  請求項１に記載の本発明の飛距離を伸ばす練習具は、１本のシャフトの先端に係着させた略円筒状の被打撃部材と、シャフトの基端に冠着させた両手で握ることができる長さの略円筒状の把持部と、被打撃部材と把持部の間にはシャフトの軸方向を移動可能な略円筒状の３つの打撃部材を有する練習具であり、３つの打撃部材は、把持部から直線で最長距離に位置する打撃部材を第１打撃部材、また把持部から直線で中間の距離に位置する打撃部材を第２打撃部材、把持部から直線で最短距離に位置する打撃部材を第３打撃部材といい、３つの打撃部材はシャフトの軸方向に嵌合され、練習具を手に持ち構えた時は３つの打撃部材は、把持部の上側のシャフトの軸方向に縦列するように位置し、把持部を握り素振り練習を行うことで３つの打撃部材が遠心力と慣性によりシャフトの軸方向に沿って先端側に移動し、インパクトの位置で被打撃部材に第１の打撃部材が衝突し、次いで第１打撃部材に第２打撃部材が衝突し、最後に第２打撃部材に第３打撃部材がそれぞれ順番に衝突し、被打撃部材と３つの打撃部材が衝突した際の衝突音は時間差で発生することを特徴とする。【０００７】  ３つの打撃部材の重量、長さ、形状はそれぞれに異なることを特徴とする。【０００８】  第１打撃部材は、３つの打撃部材のうちで最も重量が軽いことを特徴とする。【０００９】  第３打撃部材は、３つの打撃部材のうちで最も重量が重いことを特徴とする。【００１０】  把持部上側に対向する略円筒状の第３打撃部材の軸方向把持部側となる下部は、第１打撃部材並びに第２打撃部材それぞれ２つの打撃部材の把持部側となる下部より直径が小さくなることを特徴とする。【００１１】  ３つの打撃部材は素振り練習のインパクトにおいてそれぞれが衝突した際に、３つの打撃部材と打撃部材の間にそれぞれ隙間ができるように打撃部材の小口の周縁部を高低２段に形成し、小口の内周側の段を高く形成することを特徴とする。
【発明の効果】
【００１２】  請求項１に記載の本発明の飛距離を伸ばす練習具は、素振り練習をした際に、インパクトで第１打撃部材が被打撃部材に衝突し、その後第１打撃部材に第２打撃部材が衝突し、最後に第２打撃部材に第３打撃部材が衝突することで、被打撃部材へ打撃部材が衝突した際の衝撃力＝荷重を抑制させることができるという優れた効果を発揮する。【００１３】  請求項２に記載の本発明の飛距離を伸ばす練習具は、３つの打撃部材それぞれの長さ、重量、形状を変えることにより、目的によって重心の位置を随意に変えることができるという優れた効果を発揮する。【００１４】  請求項３に記載の本発明の飛距離を伸ばす練習具は、第１打撃部材は、３つの打撃部材のうちで最も重量を軽くすることにより、被打撃部材へ第１打撃部材が衝突した際の衝撃力を少なくすることができるという優れた効果を発揮する。【００１５】  請求項４に記載の本発明の飛距離を伸ばす練習具は、第３打撃部材は、３つの打撃部材のうちで最も重量を重くすることにより、素振り練習において第３打撃部材が第２打撃部材に衝突した際の荷重を付加することができ、強い押し込みを実現するために非常に有効であるという優れた効果を発揮する。【００１６】  請求項５に記載の本発明の飛距離を伸ばす練習具は、把持部上側に対向する第３打撃部材の軸方向下部を第１打撃部材並びに第２打撃部材下部の直径より小さくすることで、遠心力が働きづらい位置にありながら遠心力を効率よく働かせることができるという優れた効果を発揮する。【００１７】  請求項６に記載の本発明の飛距離を伸ばす練習具は、３つの打撃部材と打撃部材の間にそれぞれ隙間を形成することにより空気抵抗を抑えることができ振り抜きが良くなるという効果を奏する。また、打撃部材の小口周縁部を高低２段に形成し、小口内周側の段を高く形成することにより、打撃部材と打撃部材が衝突する範囲が狭くなり強く前の打撃部材を圧力で押し込めるという優れた効果を発揮する。
【図面の簡単な説明】
【００１８】
【図１】  本発明の飛距離を伸ばす練習具の斜視図である。
【図２】  本発明の飛距離を伸ばす練習具の正面図である。
【図３】  本発明の飛距離を伸ばす練習具の背面図である。
【図４】  本発明の飛距離を伸ばす練習具の右側面図である。
【図５】  本発明の飛距離を伸ばす練習具の左側面図である。
【図６】  本発明の飛距離を伸ばす練習具の平面図である。
【図７】  本発明の飛距離を伸ばす練習具の底面図である。
【図８】  本発明の飛距離を伸ばす練習具を手に持ち、構えた時の打撃部材の位置である。
【図９】  本発明の飛距離を伸ばす練習具の打撃部材である。
【図１０】  本発明の飛距離を伸ばす練習具の振り始めの打撃部材の位置である。
【図１１】  本発明の飛距離を伸ばす練習具のインパクト時の打撃部材の位置である。
【図１２】  本発明の飛距離を伸ばす練習具の押し込み時の打撃部材の位置である。
【図１３】  本発明の飛距離を伸ばす練習具の素振り時のインパクトから押し込みまでの打撃部材の位置と軌道である。
【図１４】  本発明の飛距離を伸ばす練習具と特許文献１並びに特許文献２の素振り時の軌道の比較である。
【図１５】  本発明の飛距離を伸ばす練習具の中心となる把持部からそれぞれの打撃部材の距離である。
【発明を実施するための最良の形態】
【００１９】  以下、本発明を図面に示す実施形態図１〜１５に基づき説明をする。ただし、以下の実施するための形態は、本発明の飛距離を伸ばす練習具についての一例として説明するものであり、この説明の図の項に限定されるものではない。【００２０】  図１は、本発明の飛距離を伸ばす練習具の斜視図である。飛距離を伸ばす練習具１、被打撃部材２、第１打撃部材３、第２打撃部材４、第３打撃部材５、第３の打撃部材５の下部５′、シャフト６、把持部７から構成される。【００２１】  本発明の飛距離を伸ばす練習具１は、把持部７を手で握り野球あるいはゴルフのボールを打つようなイメージで素振りをすることで被打撃部材２に第１打撃部材３が衝突し、その後第１打撃部材３に第２打撃部材４が衝突し、最後に第２打撃部材４に第３打撃部材５が衝突し、時間差でパン、パン、パンと３回音が鳴るように形成している。衝突を３回に分けることで衝突時の衝撃力＝荷重を分散することができ、振り出しからフォロースルーまで肩や腕に力が入らず軽く把持部を握ることができる。また、第２打撃部材４が第１打撃部材３を押し、さらに第３打撃部材５が第２打撃部材４に衝突することで、それぞれの打撃部材が前の打撃部材に力を加えることができ、インパクトゾーンの長い強い押し込みを助け、ヘッドスピードを上げ、打球を速くする練習を可能にする。【００２２】  図２は、本発明の飛距離を伸ばす練習具１の正面図である。被打撃部材２から構成される。【００２３】  図３は、本発明の飛距離を伸ばす練習具１の背面図である。第３打撃部材５、第３打撃部材の下部５′、把持部７から構成される。【００２４】  図４は、本発明の飛距離を伸ばす練習具１の右側面図である。被打撃部材２、第１打撃部材３、第２打撃部材４、第３打撃部材５、第３打撃部材の下部５′、シャフト６、把持部７、第１打撃部材の小口内周側の高い段ａ、第２打撃部材の小口内周側の高い段ａ′、第３打撃部材の小口内周側の高い段ａ″から構成される。ａ、ａ′ａ″それぞれの段は、先端方向側のそれぞれの打撃部材の小口に形成するが、それぞれの打撃部材の両側の小口に形成することも可能である。【００２５】  図５は、本発明の飛距離を伸ばす練習具１の左側面図である。被打撃部材２、第１打撃部材３、第２打撃部材４、第３打撃部材５、第３打撃部材の下部５′、シャフト６、把持部７、第１打撃部材の小口内周側の高い段ａ、第２打撃部材の小口内周側の高い段ａ′、第３打撃部材の小口内周側の高い段ａ″から構成される。【００２６】  図６は、本発明の飛距離を伸ばす練習具１の平面図である。被打撃部材２、第１打撃部材３、第２打撃部材４、第３打撃部材５、第３打撃部材の下部５′、シャフト６、把持部７、第１打撃部材の小口内周側の高い段ａ、第２打撃部材の小口内周側の高い段ａ′、第３打撃部材の小口内周側の高い段ａ″から構成される。【００２７】  図７は、本発明の飛距離を伸ばす練習具１の底面図である。被打撃部材２、第１打撃部材３、第２打撃部材４、第３打撃部材５、第３打撃部材の下部５′、シャフト６、把持部７、第１打撃部材の小口内周側の高い段ａ、第２打撃部材の小口内周側の高い段ａ′、第３打撃部材の小口内周側の高い段ａ″から構成される。【００２８】  図８は、本発明の飛距離を伸ばす練習具１の把持部７を手に持ち被打撃部材２を上にして構えた時のそれぞれの打撃部材の位置である。被打撃部材２、第１打撃部材３、第２打撃部材４、第３打撃部材５、第３打撃部材の下部５′、シャフト６、把持部７、第１打撃部材３の小口内周側の高い段ａ、第２打撃部材４の小口内周側の高い段ａ′、第３打撃部材５の小口内周側の高い段ａ″から構成される。
素振りをするために把持部７を持ち、被打撃部材２を上に向けて構えた時は、３つの打撃部材は把持部７側のシャフト６の軸方向に縦列に並び、手元側に重心が位置する構造となる。重心が手元側にあることで、重心が先端部側にある場合と比較して腕や肩が力まず軽く握ることができ、筋肉が緊張せず操作性が向上する構造となっている。【００２９】  図９は、本発明の飛距離を伸ばす練習具１の第１打撃部材３である。第１打撃部材３の小口内周側の高い段ａ、外周側の低い段ｂから構成される。これは、第２打撃部材４、第３打撃部材５にもそれぞれ形成される。高い段ａの素材は木、樹脂、弾力部材等が考えられる。また、各打撃部材の高い段ａのそれぞれの素材を変えることで、各打撃部材が各衝突する位置でそれぞれの衝突する音に違いを出すこともでき、音によってフォームの確認ができるという方法も考えられる。
また、高い段ａの役割は、衝撃力と空気の抵抗を抑制するためのものである。さらに、衝突する際の圧力を高くし、素振り練習の際のインパクトでの押しを強くすることができる。【００３０】  図１０は、本発明の飛距離を伸ばす練習具１の振り始めの打撃部材の位置である。被打撃部材２、第１打撃部材３、第２打撃部材４、第３打撃部材５、第３打撃部材の下部５′、シャフト６、把持部７、第１打撃部材３の小口内周側の高い段ａ、第２打撃部材４の小口内周側の高い段ａ′、第３打撃部材５の小口内周側の高い段ａ″から構成される。
振り始めは、第１打撃部材３が３つの打撃部材のうちで最も軽いことと、把持部７からの距離が最長であることから、遠心力が働きやすく遠心力が働く方向へ素直に飛び出し被打撃部材２側に移動をする構造になっている。【００３１】  図１１は、本発明の飛距離を伸ばす練習具１のインパクト時の打撃部材の位置である。打撃部材２、第１打撃部材３、第２打撃部材４、第３打撃部材５、第３打撃部材の下部５′、シャフト６、把持部７、第１打撃部材の小口内周側の高い段ａ、第２打撃部材の小口内周側の高い段ａ′、第３打撃部材の小口内周側の高い段ａ″から構成される。
前述のとおり、第１打撃部材３が最も軽いことと把持部７から最長距離にあるため遠心力が働きやすく、３つの打撃部材のなかで最初に被打撃部材２側へ移動を始め、被打撃部材２に衝突をする。その後、２番目に遠心力が働きやすい第２打撃部材４が移動を始め、第１打撃部材３へ衝突する構造となっている。
第２打撃部材４は、第１打撃部材３と比較して重量が重くなっているために、遠心力が働き始めると速度が増し、第１打撃部材３へ衝突しインパクトから打球方向へ押し込む力が働くようになる。【００３２】  図１２は、本発明の飛距離を伸ばす練習具１の素振り時に第３打撃部材５が第２打撃部材４に衝突した最後の押し込み時のそれぞれの打撃部材の位置である。被打撃部材２、第１打撃部材３、第２打撃部材４、第３打撃部材５、第３打撃部材の下部５′、シャフト６、把持部７、第１打撃部材の小口内周側の高い段ａ、第２打撃部材の小口内周側の高い段ａ′、第３打撃部材の小口内周側の高い段ａ″から構成される。
例えば、図１２の各打撃部材３、４、５が分かれておらず一体の打撃部材であるならば、重量、長さともに大きくなることで被打撃部材２に相当な衝撃で衝突することになる。衝突する力が強くなると、腕、肩に力が入り把持部７を軽く握ることができなくなる。さらに腕や肩の上半身に力が入り筋肉が硬くなるために下半身も柔軟性がなくなり軸足に体重を乗せた力強い素振りをするということができなくなる。
よって、打撃部材を３つに分ける構造にすることで、衝撃の力を分散させることができ、荷重を軽減することで腕、肩が力まずに軽い握りを可能にすることができる。握りが軽いことによりフォロースルーは自然に大きくなり、また、腕や肩が力まないことで、軸足に体重を乗せた、力強く打球方向への押し込む素振り練習ができるようになる。
押し込む練習をすることで、飛距離を伸ばすことができ、さらに強くて速い打球を打つことが可能になる。【００３３】  さらに、それぞれの打撃部材の先端側の小口が細くなり、打撃部材同士の間に隙間ａ、ａ′、ａ″を形成することで、空気抵抗が少なく素振りをした際の振り抜きがスムーズである。空気抵抗が少ない分、手や腕に負担がかからず体感重量も軽く感じることができ、最後のフォロースルーまで軽い握りでフィニッシュすることができる。【００３４】  図１３は、本発明の飛距離を伸ばす練習具１の素振り時のインパクトから押し込みまでの打撃部材の位置と軌道である。被打撃部材２、第１打撃部材３、第２打撃部材４、第３打撃部材５、把持部７、第１のインパクトポイント▲１▼、第２のインパクトポイント▲２▼、第３のインパクトポイント▲３▼、振り始めの軌道Ａ、インパクト時から押し込むまでの軌道Ｂ、Ｂ′、フォロースルーの軌道Ｃから構成される。
▲１▼は第１打撃部材３が被打撃部材２に衝突する第１のインパクトポイントである。３つのおもりの中で最も重量が軽い第１打撃部材３は、遠心力が働きやすく被打撃部材２に衝突をして１つ目の衝突音が鳴る。このインパクトポイント▲１▼から、体は軸足に体重を乗せる準備を始める。
▲２▼は第２打撃部材４が第１打撃部材３に衝突をする第２のインパクトポイントである。ここで２つ目の打撃音が鳴る。第２打撃部材４は第１打撃部材３より重量を重く形成することで、遠心力が働き始めると速度が速くなり第１打撃部材３に衝突し、第１打撃部材３に衝突、圧力を加え押し込む役割を果たす。第１打撃部材３を押し込むことで、把持部７を握った腕が前へ伸び、第２のインパクトポイント▲２▼で軸足に体重を加えながら腕が前へ押し込む動作をすることができる。
▲３▼は、３つの打撃部材のなかで最も重量のある第３打撃部材５が第２打撃部材４に衝突し、３つ目の衝突音がする。ここが第３のインパクトポイント▲３▼である。軌道Ｂから軸足に重心を置く準備を始め、Ｂ′まで下半身で踏ん張り腕を伸ばしながら前へ押し込む動作をすることで、Ｂ−Ｂ′線の長い軌道ができる。インパクトポイントが点ではなく、Ｂ−Ｂ′のように長い線になることによりチェンジアップなどでバッターが崩された場合でも、Ｂ−Ｂ′の距離を押し込む練習をすることでヒットにつながるフォームを作ることができる。【００３５】  また、３回鳴る衝突音の時間差が縮まれば縮まるほどヘッドスピードが向上している証拠となるため、ヘッドスピードの確認をするためにも３回の衝突音を確認することは素振り練習には効果的である。【００３６】  図１４は、本発明の飛距離を伸ばす練習具１と特許文献１並びに特許文献２の軌道の比較である。振り始めＡ、本発明の飛距離を伸ばす練習具１の第１のインパクトポイントＢ、第３のインパクトポイントＢ′、軌道Ｆ、フォロースルーＣである。特許文献１の振り始めＡ、軌道Ｄ、フォロースルーＣ″、特許文献２の振り始めＡ、軌道Ｅ、フォロースルーＣ′である。いずれも当社比較であるが、打撃部材が１個の特許文献１は、インパクトに集中をするトレーニングをする器具であるため、インパクトで腕や肩に力が入りフォロースルーＣ″が思ったほど伸びない。また、特許文献２は打撃部材が２個あるために、特許文献１と比較して押し込みは強くなるが打撃部材の小口が平らになっているために衝撃の力を分散する効果が低く、腕や肩に力が入り本発明の飛距離を伸ばす練習具１の軌道Ｆよりインパクトゾーンが小さくなり、前への押し込みが弱くなる。
本発明の飛距離を伸ばす練習具１の軌道Ｆは、特許文献１、特許文献２と比較してインパクトポイントＢ−Ｂ′が長く、フォロースルーＣも大きくなっている。【００３７】  図１５は、本発明の飛距離を伸ばす練習具１の把持部７と３つの打撃部材のそれぞれの距離である。被打撃部材２、第１打撃部材３、第２打撃部材４、第３打撃部材５、把持部７、構えた時の打撃部材の位置▲１０▼、第１のインパクトポイント▲１▼、第２のインパクトポイント▲２▼、第３のインパクトポイント▲３▼、中心の把持部７と第１打撃部材３までの距離３ｒ、中心の把持部７と第２打撃部材４までの距離４ｒ、中心の把持部７と第３打撃部材５までの距離５ｒ、構えた時の打撃部材の位置▲１０▼では、中心の把持部７と第１打撃部材３までの距離３ｒ′、把持部７から第２打撃部材までの距離４ｒ′、把持部７から第３打撃部材までの距離５ｒ′のから構成される。【００３８】  遠心力は、回転の半径が長いほど大きくなることから、第１打撃部材３は、中心となる把持部７から最長の距離３ｒ、３ｒ′に位置し、被打撃部材２側へ早く移動する構造になっている。次に移動するのは第２打撃部材４、であり、把持部７からの距離は４ｒ、４ｒ′である。最後に移動する第３打撃部材５は、把持部からの距離５ｒ、５ｒ′と最短距離になる。遠心力が一番弱いと想定される第３打撃部材５は、３つの打撃部材のなかで重量を最も重くすることと下部５′の直径を小さくする形状にして移動を円滑にした。移動が円滑になることで、遠心力が働きやすくなり、第２打撃部材４へ衝突する際の荷重が大きくなる。これによりインパクトゾーンが大きく広がる強い押し込みを体得することが可能になる。【００３９】  本発明の飛距離を伸ばす練習具１は、打撃部材を３つにすることで、打撃部材が被打撃部材に衝突する衝撃力＝荷重を軽減できるという構造が最大の特徴である。重さを軽減し、腕から力を抜くことで前への押し込みを強くする画期的な練習ができる。
また、把持部７から各打撃部材までの距離、さらに重量、形状によって遠心力の強弱を決めることができ、各打撃部材の移動に時間差を作ることができる。時間差を作ることで、第２打撃部材、さらに第３打撃部材がそれぞれ前方へ力を加えることができ、素振り時に打球方向へ深く押し込む有益な練習ができるようになる。
また、被打撃部材２側を立てた素振りをすることで（俗にいうヘッドを残したフォーム）、下半身に体重が乗った力強い素振りができ、第３のインパクト後に自然と外側へ引っ張られ強いフォロースルーで飛距離を伸ばすという技術を体得することができる。【００４０】  さらに、各打撃部材の長さ、重量、形状を違えて位置を入れ替えることも可能である。これにより、インパクト時の重心のバランスを随意変更することができる。例えばヘッド側に重心を置いたヘッドバランスで長距離ヒッター用、真ん中に重心を置いたミドルバランスで中距離ヒッター用、重心を手元側に置いた手元バランス等、目的や嗜好によってさまざまな用途での製造が可能となる。これらは、把持部７から最長距離の第１打撃部材打撃部材３を最も重くする、把持部から中間の距離にある第２打撃部材４を最も重くするなどの方法、第１打撃部材３、第２打撃部材４を同等の重量にするなど、組み合わせは多岐に渡る。
【産業上の利用可能性】
【００４１】野球やゴルフの打撃の技術を向上させることによって、それぞれに関わるスポーツ人口の底上げを促しスポーツへの関心を高める。
【符号の説明】
【００４２】    １  飛距離を伸ばす練習具
２  被打撃部材
３  第１打撃部材
４  第２打撃部材
５  第３打撃部材
６  シャフト
７  把持部
▲１▼  第１のインパクトポイント
▲２▼  第２のインパクトポイント
▲３▼  第３のインパクトポイント
▲１０▼  構えた時の打撃部材の位置
ａ、ａ′、ａ″  打撃部材の小口内周側の高い段
ｂ  内周側の段
Ａ、Ｂ、Ｂ′Ｃ  飛距離を伸ばす練習具の軌道
３ｒ、４ｒ、５ｒ  把持部７からの距離
【図１】
2020011014.tif 000003
【図２】
2020011014.tif 000004
【図３】
2020011014.tif 000005
【図４】
2020011014.tif 000006
【図５】
2020011014.tif 000007
【図６】
2020011014.tif 000008
【図７】
2020011014.tif 000009
【図８】
2020011014.tif 000010
【図９】
2020011014.tif 000011
【図１０】
2020011014.tif 000012
【図１１】
2020011014.tif 000013
【図１２】
2020011014.tif 000014
【図１３】
2020011014.tif 000015
【図１４】
2020011014.tif 000016
【図１５】
2020011014.tif 000017